(57)【要約】【課題】  時間順とは逆方向の再生順になる逆方向記録で記録される動画データを、順方向記録で記録される動画データを使って編集できるようにする。【解決手段】  撮像装置（１１０）では、記録処理装置（１２４）が、撮像部（１１６）による撮像で生成される動画データを記録媒体（１２６）に逆方向記録し、各フレームに時間順とは逆の順番のフレーム番号を付与する。解像度変換部（１３０）は、動画データを低解像度に変換する。データ出力部（１３２）は、低解像度動画データと、フレーム番号生成規則及びフレーム番号初期値とを外部記録装置（１６０）に出力する。外部記録装置（１６０）は、受信した低解像度動画データを順方向記録し、フレーム番号生成規則及びフレーム番号初期値に従い、撮像装置（１１０）で付与されるのと同じフレーム番号を同じフレームに付与する。【選択図】  図１
2015164266.tif 000002
【特許請求の範囲】
【請求項１】
動画データを出力する動画出力手段と、
前記動画データの解像度を低減し、低解像度動画データに出力する解像度変換手段と、
時間順とは逆方向の再生順になる逆方向記録で前記動画データ及び前記低解像度動画データの一方を記録する記録手段であって、各フレームに時間順とは逆の順番のフレーム番号を付与する第１の記録手段と、
時間順と同じ再生順になる順方向記録で前記動画データ及び前記低解像度動画データの他方を記録する記録手段であって、前記第１の記録手段で付与されるのと同じフレーム番号を同じフレームに付与する第２の記録手段
とを有することを特徴とする動画記録システム。
【請求項２】
前記第１の記録手段が前記動画データを記録し、前記第２の記録手段が、前記低解像度動画データを記録することを特徴とする請求項１に記載の動画記録システム。
【請求項３】
前記動画出力手段が撮像手段であることを特徴とする請求項１又は２に記載の動画記録システム。
【請求項４】
前記第２の記録手段は、前記第１の記録手段におけるフレーム番号生成規則とフレーム番号初期値に従い、記録すべきフレームに付与するフレーム番号を算出することを特徴とする請求項１ないし３の何れか１項に記載の動画記録システム。
【請求項５】
前記動画出力手段、前記解像度変換手段及び前記第１の記録手段からなる装置に対し、前記第２の記録手段を外部記録装置として、通信手段を介して接続することを特徴とする請求項４に記載の動画記録システム。
【請求項６】
動画データを出力する撮像手段と、
前記動画データの解像度を低減し、低解像度動画データに出力する解像度変換手段と、
時間順とは逆方向の再生順になる逆方向記録で前記動画データ及び前記低解像度動画データの一方を記録する記録手段であって、各フレームに時間順とは逆の順番のフレーム番号を付与する記録手段と、
前記記録手段で付与される前記フレーム番号に関する情報を外部記録装置に出力する通信手段
とを具備することを特徴とする撮像装置。
【請求項７】
前記通信手段が、前記記録手段で付与される前記フレーム番号に関する情報として、フレーム番号生成規則とフレーム番号初期値を前記外部記録装置に出力することを特徴とする請求項６に記載の撮像装置。
【請求項８】
時間順とは逆方向の再生順になる逆方向記録で動画データを記録し、各フレームに時間順とは逆の順番のフレーム番号を付与する撮像装置の出力動画データを記録する記録装置であって、
前記出力動画データ及び、前記撮像装置で記録される前記動画データの各フレームに付与される前記フレーム番号に関する情報を受信する手段と、
時間順と同じ再生順になる順方向記録で前記出力動画データを記録する記録手段であって、前記フレーム番号に関する情報に従い、撮像装置で付与されるのと同じフレーム番号を同じフレームに付与する記録手段
とを具備することを特徴とする記録装置。
【請求項９】
前記出力動画データが、前記動画データの解像度を低減した低解像度動画データであることを特徴とする請求項８に記載の記録装置。
【請求項１０】
前記フレーム番号に関する情報が、フレーム番号生成規則とフレーム番号初期値からなることを特徴とする請求項８又は９に記載の記録装置。
【発明の詳細な説明】
【技術分野】
【０００１】
本発明は、動画記録システム、撮像装置及び記録装置に関する。
【背景技術】
【０００２】
動画を記録する撮像装置において、通常再生（順方向の再生）により時間的に逆方向の再生画像を表示できるように、記録時に予め時間的に逆方向で動画を符号化し記録する逆方向符号化記録方式が知られている（特許文献１参照）。
【先行技術文献】
【特許文献】
【０００３】
【特許文献１】特開平１０−０３２７８７号公報
【発明の概要】
【発明が解決しようとする課題】
【０００４】
高解像度の動画（例えば、いわゆる４Ｋ動画）を編集する場合、高性能のハードウエアを必要とするので、より解像度の動画ファイルで編集を行い、その編集結果をオリジナルの高解像度の動画ファイルに適用することが行われる。このような目的で、撮像装置本体において高解像度（又は低解像度）で動画を記録しつつ、撮像装置の外部端子からリアルタイム出力される動画を外部記録装置により低解像度（又は高解像度）で記録し、低解像度側を編集用とすることが行われる。
【０００５】
撮像装置の外部端子からリアルタイム出力される動画に付されるフレーム番号は撮像順である。従って、撮像装置側で記録される動画ファイルが時間軸に対して順方向である場合、撮像装置の記録動画と外部記録装置の記録動画とはフレーム番号が対応しており、一方の編集結果を他方に反映させることができる。しかし、撮像装置の動画記録を逆方向記録とした場合、撮像装置で逆方向記録される動画と外部記録装置に順方向記録される動画とでフレーム番号が対応しなくなり、一方の動画の編集結果を他方に反映させることができない。
【０００６】
図６は、逆方向記録された動画ファイルと、外部出力を順方向記録した動画ファイルのファイル番号対応を示す模式図である。横軸は、記録に伴う時間（動画ファイル内でのフレームの順序）を示す。動画ファイル６１０は逆方向記録されたもので、動画ファイル６１２は外部出力を順方向記録したものである。動画ファイル６１０は高解像度動画データからなり、動画ファイル６１２が低解像度動画データからなるので、動画ファイル６１０のビットレートは動画ファイル６１２のそれよりも高くなる。
【０００７】
動画ファイル６１０において、上段には、動画ファイル６１０として記録された各フレームに付されたフレーム番号を示し、下段には、撮影時のフレームの順番を示す。図６に示す例では、逆方向記録のフレーム番号初期値を２５６とし、最初に記録されるフレームのフレーム番号が２５５で、以降、デクリメントされ最後に記録されるフレームのフレーム番号が４３になっている。すなわち、動画ファイル６１０は、２１３個のフレームからなる。他方の動画ファイル６１２には、動画ファイル６１２として記録された各フレームに付されたフレーム番号を付記した。
【０００８】
記録停止のタイミングの相違の問題で、一般的に、動画ファイル６１０，６１２に収容されるフレーム数が異なる。記録終了指示に応じて即時に記録動作を終了すると、転送途中のフレームを取りこぼす等の不都合を生じる可能性があるので、実際の記録終了を遅らせるように制御されるからである。図６に示す例では、動画ファイル６１２は、動画ファイル６１０より２フレーム多い。収容フレーム数の相違とフレーム番号の非対応とから、このままでは、動画ファイル６１２の編集結果を動画ファイル６１０上で反映するのはむずかしい。事前にフレーム数を一致させるか、動画ファイル間でフレームの対応を確認するなどの前処理が必要になる。
【０００９】
本発明は、このような不都合を解消する動画記録システム、撮像装置及び記録装置を提示することを目的とする。
【課題を解決するための手段】
【００１０】
以上のような課題を解決するため、本発明に係る動画記録システムは、動画データを出力する動画出力手段と、前記動画データの解像度を低減し、低解像度動画データに出力する解像度変換手段と、時間順とは逆方向の再生順になる逆方向記録で前記動画データ及び前記低解像度動画データの一方を記録する記録手段であって、各フレームに時間順とは逆の順番のフレーム番号を付与する第１の記録手段と、時間順と同じ再生順になる順方向記録で前記動画データ及び前記低解像度動画データの他方を記録する記録手段であって、前記第１の記録手段で付与されるのと同じフレーム番号を同じフレームに付与する第２の記録手段とを有することを特徴とする。
【発明の効果】
【００１１】
本発明によれば、動画データの記録と低解像度動画データの記録において同じフレームには同じフレーム番号が付与されているので、低解像度動画データによる編集結果を動画データの編集に利用できるようになる。
【図面の簡単な説明】
【００１２】
【図１】本発明の一実施例の概略構成ブロック図である。
【図２】本実施例を構成する撮像装置の外観図である。
【図３】本実施例の撮像装置の動作フローチャートである。
【図４】本実施例の外部記録装置の動作フローチャートである。
【図５】本実施例で生成される２つの動画ファイルのフレーム対応を示す模式図である。
【図６】従来例における２つの動画ファイルのフレーム対応を示す模式図である。
【発明を実施するための形態】
【００１３】
以下、図面を参照して、本発明の実施例を詳細に説明する。
【実施例１】
【００１４】
図１は、本発明に係る動画記録システムの概略構成ブロック図を示す。図１に示す実施例は、レンズ交換可能な撮像装置１１０と、撮像装置１１０からリアルタイム出力される動画像信号を記録する外部記録装置１６０からなる。撮像装置１１０の外部映像信号出力端子が、ＨＤＭＩ（登録商標）ケーブル１７０を介して外部記録装置１６０の映像入力端子に接続する。
【００１５】
撮像装置１１０は、本体１１２と、本体１１２に着脱可能な交換レンズ１１４からなる。撮像部１１６は、交換レンズ１１４による光学像を電気画像信号に変換するＣＣＤ型又はＣＭＯＳ型イメージセンサと、当該イメージセンサの出力画像信号をデジタル化するＡ／Ｄ変換器からなる。カメラ画像処理部１１８はＲＡＭ１２０をワークエリアとして利用して、撮像部１１６から出力される画像データにガンマ補正及び色バランス調整等の周知のカメラ画像処理を施し、所定映像方式の動画データを出力する。すなわち、撮像部１１６およびカメラ画像処理部１１８は、記録すべき動画データを出力する動画出力手段として機能する。メモリ管理ユニット（ＭＭＵ）１２２は、ＲＡＭ１２０へのデータの読み書きを制御する。
【００１６】
記録処理部１２４は、カメラ画像処理部１１８から出力される画像データを、静止画か動画に応じてそれぞれに応じた所定の圧縮符号化方式で圧縮符号化し、記録媒体１２６に記録する。記録媒体１２６は、例えば、内蔵又は本体１１２に着脱自在な、メモリカードである。
【００１７】
解像度変換部１３０は、カメラ画像処理部１１８から出力される画像データを画素間引きにより解像度を低減し、得られた低解像度画像データをデータ出力部１３２に供給する。データ出力部１３２は、解像度変換部１３０による低解像度画像データからなる低解像度動画データをＨＤＭＩ出力端子１３４からＨＤＭＩケーブル１７０を介して外部記録装置１６０に供給する。
【００１８】
本体制御部１３６は、操作スイッチ１３８〜１４６を具備する操作装置１４８の操作及び動作状態に応じて撮像装置１１０を統括制御する。本体制御部１３６は、例えば、ＲＯＭ、ＲＡＭ、ＥＥＰＲＯＭ等の不揮発性メモリ及び各種Ｉ／Ｏ回路を内蔵するマイクロコンピュータからなる。
【００１９】
操作スイッチ１３８は、レリーズボタンの半押し時にオンとなり、操作スイッチ１４０は、レリーズボタンの全押しでオンとなるスイッチである。本体制御部１３６は、操作スイッチ１３８のオンに応じて、レンズ１１４の露出とフォーカスを決定し、操作スイッチ１４０のオンに応じて、静止画撮影のシャッタを切る。
【００２０】
操作スイッチ１４２は、静止画撮影モードか動画撮影モードを本体制御部１３６に指示する静止画／動画スイッチである。
【００２１】
操作スイッチ１４４は、動画撮影モードで順方向記録か逆方向記録かを本体制御部１３６に指示知る記録方向指示スイッチである。
【００２２】
操作スイッチ１４６は、動画記録の開始／終了を本体制御部１３６に指示するトグル形式の動画記録ボタンである。操作スイッチ１４６の操作は、操作スイッチ１４２により動画撮影モードが設定されているときのみ、有効となる。
【００２３】
表示部１５０は液晶表示装置（ＬＣＤ）からなり、本体制御部１３６は、被写体の構図決定中の画像及び記録中の画像を表示部１５０に表示する。静止画モードでは、ユーザは、光学ファインダ１５２によっても被写体の構図を確認できる。
【００２４】
交換レンズ１１４は、ズームレンズ、フォーカスレンズ及び絞りの位置を検出し、駆動を制御するレンズ制御部１５４を具備する。レンズ制御部１５４はズームレンズ等の検出位置を本体制御部１３６に通知し、本体制御部１３６からの制御信号に従い、ズームレンズ、フォーカスレンズ及び絞りを、それぞれに付属するアクチュエータを介して制御する。交換レンズ１１４は、手ブレ補正光学系を具備することもある。
【００２５】
記録処理部１２４の圧縮符号化及び解像度変換部１３０の解像度変換は、例えば、デジタル信号処理回路（ＤＳＰ）上で動作するソフトウエアによって実現できる。本体制御部１３６の処理能力が高い場合、圧縮符号化及び解像度変換の一方又は両方を、本体制御部１３６上で動作するソフトウエアによっても実現可能である。
【００２６】
ＲＡＭ１２０は、撮像部１１６から出力される画像データを一時記憶し、カメラ画像処理部１１８、記録処理部１２４及び解像度変換部１３０での処理のためのワークメモリ又はバッファとして利用される。
【００２７】
外部記録装置１６０は、ＨＤＭＩ入力端子１６２、記録処理部１６４、及び記録媒体としてのＨＤＤ１６６からなり、撮像装置１１０の出力動画データをＨＤＤ１６６に記録する。ＨＤＭＩケーブル１７０がＨＤＭＩ入力端子１６２に接続する。撮像装置１１０のＨＤＭＩ出力端子１３４から出力される低解像度画像データは、ＨＤＭＩケーブル１７０及びＨＤＭＩ入力端子１６２を介して記録処理部１６４に入力する。記録処理部１６４は、ＨＤＭＩ入力端子１６２からの低解像度画像データを圧縮符号化し、ＨＤＤ１６６に記録する。
【００２８】
ＨＤＭＩは画像データ及び音声データ以外のデータを伝送でき、制御信号も伝送できる。本体制御部１３６は、ＨＤＭＩケーブル１７０を介して外部記録装置１６０に画像データ以外のデータ、具体的には、外部記録装置１６０に供給する動画データのフレーム番号を供給可能である。本実施例では、この機能を利用して、外部記録装置１６０に順方向記録される低解像度動画データのフレーム番号と、記録媒体１２６に逆方向記録される高解像度動画データのフレーム番号とを一致させる。
【００２９】
図２は、撮像装置１１０の外観図を示す。図２（１）は正面図を示し、図２（２）は背面図を示し、図２（３）は底面図を示す。レリーズボタン２１０に操作スイッチ１３８，１４０が組み込まれており、半押しで操作スイッチ１３８がオンとなり、全押しで操作スイッチ１４０がオンとなる。背面の切替えレバー２１２に静止画／動画スイッチ１４２が組み込まれている。正面の切替えレバー２１４には、記録方向指示スイッチ１４４が組み込まれている。本体の側面にＨＤＭＩ出力端子１３４が配置されている。
【００３０】
図３は、動画記録の撮像装置１１０側の動作フローチャートを示し、図４は、外部記録装置１６０側の動作フローチャートを示す。ユーザが、静止画／動画スイッチ１４２により動画記録モードを設定しており、動画記録開始／停止スイッチ１４６により動画記録の開始を本体制御部１３６に指示したとする。この動画記録開始の指示に応じて、本体制御部１３６は、図３に示すフローを開始する。
【００３１】
Ｓ３０１において、本体制御部１３６は、記録方向指示スイッチ１４４が順方向か逆方向かを確認する。本体制御部１３６は、逆方向の場合（Ｓ３０１）、記録すべき動画のフレーム番号算定の初期値として最大値を設定する（Ｓ３０２）。他方、順方向の場合（Ｓ３０１）、本体制御部１３６は、記録すべき動画のフレーム番号算定の初期値として最小値を設定する（Ｓ３０３）。
【００３２】
通常再生ではフレーム番号順に各フレームを再生表示するので、通常再生で時間的に逆方向に再生する逆方向記録では、フレーム番号を時間軸に対して降順に付番する必要がある。そのため、逆方向記録に対しては、フレーム番号初期値を通常使用範囲でより大きな値、例えば最大値に設定し、入力順、即ち時間順の各フレームに降順となるフレーム番号を演算し付与する。
【００３３】
Ｓ３０４で、本体制御部１３６は、本体１１２の各部及び外部記録装置１６０に記録開始を指示する。具体的には、本体制御部１３６は、撮像部１１６、カメラ画像処理部１１８及び記録処理部１２４に記録処理を開始させ、解像度変換部１３０及びデータ出力部１３２に、低解像度動画データの出力を開始させる。また、本体制御部１３６は、ＨＤＭＩケーブル１７０を介して外部記録装置１６０に、フレーム番号算定初期値（又はフレーム番号初期値）及び、フレーム番号生成規則としての記録方向の情報を含む記録開始制御信号を送信する。
【００３４】
本体制御部１３６は、記録処理部１２４を制御して、撮像部１１６による高解像度の動画データをフレーム単位で記録媒体１２６に記録する（Ｓ３０５，Ｓ３０６）。具体的には、本体制御部１３６は、各フレームについて、Ｓ３０２，Ｓ３０３で設定した初期値から、順方向記録の場合にはインクリメント（又は加算）で、逆方向記録の場合にはデクリメント（又は減算）で、フレーム番号を算出する（Ｓ３０５）。本体制御部１３６は、算出したフレーム番号を付して、当該フレームの圧縮画像データを記録媒体１２６の動画ファイルに記録する（Ｓ３０６）。ユーザによる記録終了の指示があるまで（Ｓ３０７）、本体制御部１３６は、Ｓ３０５，Ｓ３０６を繰り返す。
【００３５】
フレーム番号の演算（Ｓ３０５）は、例えば、以下の方法による。すなわち、逆方向記録の場合には減算処理を設定し、順方向記録の場合には加算処理を設定する。フレーム番号が３２ｂｉｔ整数として実装されている場合、最大値の０ｘＦＦＦＦＦＦＦＦからカウントダウンするように、本体制御部１３６は、Ｓ３０２でフレーム番号の初期値に０を設定する。このとき、記録すべき１フレーム目の画像に対し、本体制御部１３６は、Ｓ３０７でフレーム番号初期値０から１を減じて、フレーム番号を０ｘＦＦＦＦＦＦＦＦとする。このように、３２ｂｉｔ整数のもっとも大きい値からフレーム番号をダウンカウントすることになる。
【００３６】
他方、順方向記録の場合、本体制御部１３６は、Ｓ３０３で、フレーム番号初期値として０ｘＦＦＦＦＦＦＦＦを設定する。このとき、記録すべき１フレーム目の画像に対し、本体制御部１３６は、Ｓ３０７で、フレーム番号初期値０ｘＦＦＦＦＦＦＦＦから１を加えて、フレーム番号を０とする。このように、３２ｂｉｔ整数のもっとも小さい値からフレーム番号をアップカウントすることになる。
【００３７】
ここではフレーム番号を３２ｂｉｔ整数として最大値０ｘＦＦＦＦＦＦＦＦ、最小値０として実装している。フレーム番号として０ｘＦＦＦＦＦＦＦＦ又は０を例外のために利用し特別な値として用いる実装では、最大値と最小値が必ずしも整数値の最大最小と一致していなくてもよい。また、動画記録のフレームレートなどに依存してフレーム番号を偶数に限定するなど、加減算を必ずしも１カウント単位で行なわなくてもよい。また、予め時間を指定して動画記録を開始するような場合は、その時間に要するフレーム数（例えばフレームレートが２４ｆｐｓで１分なら、１４４０）を最大値として設定するようにしてもよい。
【００３８】
記録終了の指示に応じて（Ｓ３０７）、本体制御部１３６は、記録媒体１２６への記録を終了し、外部記録装置１６０に記録終了を指示する（Ｓ３０８）。具体的には、本体制御部１３６は、撮像部１１６による画像データの記録媒体１２６への記録処理と、低解像度化した画像データの外部記録装置１６０への出力処理を終了する。これと同時に、本体制御部１３６は、外部記録装置１６０に記録終了制御信号を送信する。詳細は後述するが、外部記録装置１６０は、この記録終了制御信号に応じて記録動作を終了する。
【００３９】
逆方向記録の場合、通常再生において各フレームが時間軸の逆順で再生される必要がある。そこで、本体制御部１３６は、逆方向記録の場合（Ｓ３０９）、Ｓ３０６（フレーム保存）で作成された動画ファイル中の各フレームの再生順序を記録された順とは逆の順になるように、当該動画ファイル中で反転する（Ｓ３１０）。これにより、この動画ファイルを先頭から再生したときに、時間的に逆順に再生されることになる。
【００４０】
本体制御部１３６は、動画ファイルのヘッダに、フレームの再生順を規定するフレーム再生順情報を書き込み、動画ファイルをクローズする（Ｓ３１１）。フレーム再生順情報は、各フレームのフレーム番号と動画ファイル上の記録位置との対応を示す情報を含む。
【００４１】
図４を参照して、外部記録装置１６０の記録動作を説明する。外部記録装置１６０は、撮像装置１１０から記録開始制御信号を受信すると図４に示す記録動作を開始し、記録終了制御信号を受信すると記録動作を終了する。
【００４２】
Ｓ４０１で、記録処理部１６４は、撮像装置１１０からの記録開始制御信号に付属するフレーム番号初期値を取り込み、内部変数のフレーム番号に設定する。Ｓ４０２で、記録処理部１６４は、撮像装置１１０からの記録開始制御信号に付属する記録方法情報から、撮像装置１１０での動画記録が順方向記録か逆方向記録かを判別する。逆方向記録の場合（Ｓ４０２）、Ｓ４０３で、記録処理部１６４は、記録すべき動画のフレーム番号演算方法として減算を設定する。他方、順方向記録の場合（Ｓ４０２）、Ｓ４０４で、記録処理部１６４は、記録すべき動画のフレーム番号演算方法として加算を設定する。
【００４３】
このようにフレーム番号初期値及びフレーム演算方法を決定することにより、撮像装置１１０で記録される動画と外部記録装置１６０で記録される動画で、同じフレームに同じフレーム番号を付すことができる。撮像装置１１０でのフレーム番号演算の加算（又は減算）数が２以上の場合には、その加算（又は減算）数を撮像装置１１０から外部記録装置１６０に伝送し、外部記録装置１６０でのフレーム番号演算の加算（又は減算）数とすれば良いことは明らかである。
【００４４】
Ｓ４０５で、記録処理部１６４は、Ｓ４０３，Ｓ４０４で設定された演算方法でフレーム番号を演算する。Ｓ４０６で、記録処理部１６４は、撮像装置１１０から受信する１フレーム分の低解像度画像データを圧縮符号化して、ＨＤＤ１６６の所定の動画ファイルに保存する。記録処理部１６４は、撮像装置１１０からの記録終了制御信号を受信するまで（Ｓ４０７）、Ｓ４０５，Ｓ４０６を実行する。
【００４５】
撮像装置１１０からの記録終了制御信号を受信すると（Ｓ４０７）、記録処理部１６４は、ＨＤＭＩ入力端子１６２からの画像データの取り込みを終了する（Ｓ４０８）。そして、記録処理部１６４は、ＨＤＤ１６６の動画ファイルのヘッダに、フレームの再生順を規定するフレーム再生順情報を書き込み、動画ファイルをクローズする（Ｓ４０９）。フレーム再生順情報は、各フレームのフレーム番号と動画ファイル上の記録位置との対応を示す情報を含む。
【００４６】
図５は、記録媒体１２６に逆方向記録された動画ファイルと、ＨＤＤ１６６に順方向記録された動画ファイルのファイル番号対応を示す模式図である。横軸は、記録に伴う時間（動画ファイル内でのフレームの順序）を示す。動画ファイル５１０は記録媒体１２６に記録されたもので、動画ファイル５１２はＨＤＤ１６６に記録されたものである。動画ファイル５１０は高解像度動画データからなり、動画ファイル５１２が低解像度動画データからなるので、動画ファイル５１０のビットレートは動画ファイル５１２のそれよりも高くなる。
【００４７】
動画ファイル５１０において、上段には、動画ファイル５１０として記録された各フレームに付されたフレーム番号を示し、下段には、撮影時のフレームの順番を示す。図５に示す例では、逆方向記録のフレーム番号初期値を２５６とし、最初に記録されるフレームのフレーム番号が２５５で、以降、デクリメントされ最後に記録されるフレームのフレーム番号が４３になっている。すなわち、動画ファイル５１０は、２１３個のフレームからなる。
【００４８】
他方の動画ファイル５１２には、動画ファイル５１２として記録された各フレームに付されたフレーム番号を付記した。外部記録装置１６０は、撮像装置１１０からフレーム番号初期値として２５６を受信し、これをデクリメントして得られる２５５を最初に記録されるフレームに付与し、以降、フレーム番号をデクリメントする。一般的に、外部記録装置１６０の記録終了は、撮像装置１１０のそれより遅れる。動画ファイル５１２では、動画ファイル５１０に比べ、２フレーム、余計に記録され、最後に記録されるフレームのフレーム番号は４１になっている。
【００４９】
動画ファイル５１０と動画ファイル５１２とで記録されるフレーム数が異なるが、各フレームに付与したフレーム番号が一致しているので、動画ファイル５１２での編集結果を動画ファイル５１０に適用するのに支障は無い。動画ファイル５１２は動画ファイル５１０よりもデータ量が少ないので、編集に必要なリソースが少なくて済む。低解像度とは言え、動画ファイル５１２は、フレーム単位での編集には充分である。これらにより、大量のストレージやメモリを持たない編集システムにおいても編集作業を迅速に行なうことができる。
【００５０】
ＨＤＭＩケーブル１７０を通信媒体とする実施例を説明したが、その他の通信媒体を使用する通信手段で撮像装置１１０と外部記録装置１６０を接続しても、本発明を適用できることはいうまでもない。
【００５１】
上記実施例では、２つの動画記録系で記録される動画のフレーム番号を互いに一致させるために、一方から他方にフレーム番号初期値と演算方向（及び必要な番号変化量）を通知し、他方で同じフレーム番号の演算を行わせた。一方の動画記録系から他方の動画記録系に、一方の動画記録系で記録するフレームのフレーム番号を他方の動画記録系に通知して、記録すべきフレームに付加させてもよい。
【図１】
2015164266.tif 000003
【図２】
2015164266.tif 000004
【図３】
2015164266.tif 000005
【図４】
2015164266.tif 000006
【図５】
2015164266.tif 000007
【図６】
2015164266.tif 000008